(57)【要約】【課題】培土を立体的に形成して立体畑とし、その側面部から挿し木するなどして、各種の観葉植物や草花を立体的に栽培可能とする。【解決手段】付着土が付着した状態の芝生マット４を筒状に形成して、その内側に培土５を入れて立体畑とする。そして、内部の培土５に対し、側面の外側から木の枝１４を挿し木したり、草花の苗を植えつける。【選択図】　　　　　図１
2004121157.tif 000002
【特許請求の範囲】
【請求項１】
付着土が付着した状態の芝生マットを筒状に形成して、その内側に培土を入れることを特徴とする立体畑の製造方法。
【請求項２】
複数本の支柱を立てて、その外側に前記の芝生マットをセットして筒状に形成することを特徴とする請求項１に記載の立体畑の製造方法。
【請求項３】
複数本の支柱を立てると共に、各支柱間を連結部材で環状に連結し、該連結部材の内側又は外側から透水性シートを重ねて筒状に形成し、この筒状透水性シートの内側に培土を入れることを特徴とする立体畑の製造方法。
【請求項４】
前記の筒状の部分の内部の培土に対し、側面の外側から挿し木をすることを特徴とする請求項１、請求項２または請求項３に記載の立体畑の製造方法。
【請求項５】
前記の筒状部分の内部の培土の中に灌水管を立てておき、その側部に開けた孔から培土に対し灌水可能としたことを特徴とする請求項１、請求項２、請求項３または請求項４に記載の立体畑の製造方法。
【発明の詳細な説明】
【０００１】
【産業上の利用分野】
本発明は、培土を立体的に形成して立体畑とし、その側面部から挿し木するなどして、各種の観葉植物や草花を立体的に栽培可能とする技術に関する。
【０００２】
【従来の技術】
ガーデニングの普及に伴って、花を植えた植木鉢をブロック塀などに吊り下げたりして、立体的に観賞できるような工夫を見かけるが、単に植木鉢を立体的に配置したに過ぎない。また、植木鉢に立てた支柱にポトスなどのような蔓性植物を這わすことも一般的に行われているが、蔓性の植物に限られる。
【０００３】これに対し、特開２００１−６１３５３号公報に記載のように、パンチングメタルや金網などで形成した筒状体を立てるとともに、その中に培土を入れ、パンチングメタルや金網などなどの孔の中を蔓性植物の茎が通過できるようにした園芸補助具が提案されている。
【０００４】
【発明が解決しようとする課題】
しかしながら、このように蔓性植物の茎が通過できるような１ｃｍ以上の大きな孔を無数に開けると、内部の培土が漏れ出すという問題があるので、使用できる培土が限定されてしまう。したがって、例えば鹿沼土などの粒度の大きな培土を用いなければならない。
【０００５】また、パンチングメタルや金網などを完全に覆うように蔓性植物が密生するまでは、パンチングメタルや金網などが見えてしまうので、観賞用としては不適当である。
【０００６】本発明の技術的課題は、このような問題に着目し、培土を立体的に形成して、その側面部に各種の草花や観葉植物などを栽培できると共に、最初から側面全面を芝生などの緑で覆うことができるようにすることにある。
【０００７】
【課題を解決するための手段】
本発明の技術的課題は次のような手段によって解決される。請求項１は、付着土が付着した状態の芝生マットを筒状に形成して、その内側に培土を入れることを特徴とする立体畑の製造方法である。芝とは、通常の芝のように這伏性の根を持つ草全部を含むものとする。通常、植木鉢も筒状をしているので、立体畑で植木鉢を形成することもできる。そして、この立体畑製植木鉢の中に、別の立体畑を形成することもできる。
【０００８】付着土が付着した状態の芝生マットは園芸店やホームセンターなどで市販されているが、この付着土付きの芝生マットを購入して来て筒状に形成してから、その内側の空洞部に培土を入れることによって、筒状に形成された芝生マットより内側を培土として利用でき、立体畑の製造も容易である。
【０００９】したがって、芝生マットの外側から挿し木したりすることによって、芝生マットの外側から各種の植物を観賞できる。しかも、外部からは芝生マットの芝生が見えるだけで、内部の培土は見えないので、観賞に適しており、癒し効果が大きい。
【００１０】請求項２は、複数本の支柱を立てて、その外側に請求項１に記載の芝生マットをセットして筒状に形成することを特徴とする立体畑の製造方法である。
【００１１】このように、複数本の支柱を立てて、その外側に芝生マットをセットするので、芝生マットを筒状に形成することは容易である。なお、芝生マットの芝生が内部の培土に活着するまでは、芝生マットの外側から針金や紐などを巻き付けて、芝生マットが脱落しないように仮固定しておくことは言うまでもない。
【００１２】請求項３は、複数本の支柱を立てると共に、各支柱間を連結部材で環状に連結し、該連結部材の内側又は外側から透水性シートを重ねて筒状に形成し、この筒状透水性シートの内側に培土を入れることを特徴とする立体畑の製造方法である。
【００１３】このように、複数本立てた支柱間を連結部材で環状に連結し、該連結部材に透水性シートを重ねて筒状に形成し、この筒状透水性シートの内側に培土を入れる方法によると、芝生マットを使用しなくても立体畑を形成できる。
【００１４】筒状の透水性シートが有るので、培土の細かい粒子が漏れ出す恐れはなく、またこの透水性シートは植物の根が通過でき、また挿し木も可能であるため、外側から各種の植物を挿し木できる。この場合も、筒状の透水性シートの外側に芝生マットを張り付け固定しておけば、芝生も活着可能となる。
【００１５】請求項４は、請求項１、請求項２または請求項３に記載の筒状の部分の内部の培土に対し、側面の外側から挿し木をすることを特徴とする立体畑の製造方法である。
【００１６】このように、請求項１〜請求項３に記載の筒状の部分の内部の培土に対し、側面の芝生マットや透水性シートを通過するように、外側から挿し木をすることによって、各種の植物を容易に栽培できる。なお、挿し木が不可能な場合は、補助具を用いて、芝生マットや透水性シートを貫通させ、苗の根を内部の培土に差し込むことによって、植えつけることができる。
【００１７】請求項５は、請求項１、請求項２、請求項３または請求項４に記載の筒状部分の内部の培土の中に灌水管を立てておき、その側部に開けた孔から培土に対し灌水可能としたことを特徴とする立体畑の製造方法である。
【００１８】このように、前記の筒状部分の内部の培土の中に灌水管を立てておき、その側部に開けた孔から培土に対し灌水する構造になっているため、培土の下部や中間部などの各部に確実に灌水できる。
【００１９】
【発明の実施の形態】
次に本発明による立体畑とその製造方法が実際上どのように具体化されるか実施形態を説明する。図１は本発明による立体畑の第一実施形態の斜視図である。植木鉢１中の培土２に、本発明による立体畑３を立ててある。この立体畑３は、筒状に形成した芝生マット４の中に培土５を入れた構成になっている。
【００２０】図示例では、植木鉢１中の培土２に４本の支柱６を立てた状態で、４本の支柱６に芝生マット４を巻き付け、その外側から針金や紐などの線材７を巻き付けてから、筒状に形成した芝生マット４の中に培土５を入れてある。図示例では、３枚の芝生マット４１、４２、４３を用いた構成になっており、上下の芝生マット４１、４２、４３間の継ぎ目８は、内部の培土の粒子が漏れ出さないように密着させたり、部分的に重ねたりしておく。
【００２１】図２から図４は、図１の立体畑の製造方法の実施形態であり、図２は、骨組みの斜視図である。９は環状体であり、例えば塩化ビニール管を輪切りにした物であり、間隔Ｇをおいて配置した複数の環状体９…の内面に複数本の支柱６を円周方向に間隔をおいて接着固定してある。
【００２２】こうして形成した骨組１０の支柱６の下部を、植木鉢１中の培土２に突き刺して立ててある。図３は、市販の芝生マット４であり、例えば３０ｃｍ×３５ｃｍ程度の四角形状をしていて、根の部分に付着土１１が付着したままで販売されている。
【００２３】この芝生マット４１を図２の骨組１０の下部に巻き付けた状態で、図１のように、外側から針金などの線材７を巻き付けて固定する。次に、先に巻き付けた芝生マット４１の上側の段に２枚目の芝生マット４２を巻き付けてから、線材７を巻き付けて固定する。その上側の段に、同様にして、３枚目の芝生マット４３を巻き付けてから、線材７を巻き付けて固定すると、図１のような立体畑が完成する。
【００２４】図４は、図１の立体畑の詳細を示す図である。（１）は平面図であり、環状体９で連結された複数本の支柱６…に、付着土１１付きの最上段の芝生マット４３を巻いて筒状に形成されている。１２は、芝生マット４３の継ぎ目、すなわち巻き始めと巻き終わりである。この筒状の芝生マット４３の内側に培土５を入れてあり、培土５の中央位置に灌水管１３を立ててある。
【００２５】（２）は、図１の立体畑を２段目の芝生マット４２の位置で切断した断面図であり、側面からハイビスカスやガジュマルなどの枝１４を培土５中に挿し木してある。芝生マットには、木の幹や枝を容易に挿せるので、内部の培土５中に届くように挿し木できる。なお、挿し木する要領で棒を突き刺してから抜き取ることによって穴を開け、その中に花などの根を挿入して植えることもできる。
【００２６】このようにして、筒状に形成した芝生マットの外側から挿し木したり、各種の植物の苗を植えたりできる。また、蔓性の植物を植えて、芝生マットの外側に這わすこともできる。なお、蔓性植物その他の植物を植木鉢１中の培土２に植えたり、筒状の芝生マットの上端に露出している培土５に植えることもできる。
【００２７】図５は本発明による立体畑の別の実施形態であり、芝生マットを用いない構成である。この実施形態では、複数本の支柱６…を、四角状の環状体９で連結して、骨組み１０を形成してある。各支柱６…と環状体９…には、太い線材または細い棒材などからなる補強材１７・１８を重ねて固定してあり、またこれらの支柱６…と環状体９…と補強材１７…１８…の内側に透水性のシート１６を重ねてある。この透水性シート１６は、補強材１７…１８…等の内側に初めから固定してあってもよいし、内部に培土５を入れる直前にセットしてもよい。
【００２８】この透水性シート１６は、内部の培土５の細かい粒子が側面から漏れ出さないように敷くものであり、布類が適している。通常の織った布でも良いし、不織布やスポンジシートなどでもよい。あるいは、椰子がらや藁、各種の繊維質材などをシート状に重ねて用いてもよい。すなわち、液体のみを通過させるのに用いる各種のフィルター類を利用することもできる。目の細かい各種のネットなどを用いてもよい。農業用の日除けネットなどを１枚のみ或いは複数枚重ねて用いることもできる。
【００２９】立体畑の製作時には、内部の培土５の粒子が容易に漏れ出す恐れがあるが、年月が経過して、内部の培土５が安定して固まってしまうと、容易に漏れ出す恐れは少ないので、この透水性シート１６は必ずしも必要ない。したがって、必ずしも長寿命である必要はなく、いずれは腐食消失しても支障はない。
【００３０】挿し木したりするので、木の茎や枝などを挿した際に容易に破れて、内部の培土５まで通過可能な材質が好ましい。ただし、透水性シート１６が丈夫な場合は、金属棒などを突き刺して孔を開け、この孔から挿し木してもよい。また、植物の根が容易に透水性シート１６を通過して内部の培土５に活着可能な材質や構成が好ましい。
【００３１】植物の根が容易に通過可能な透水性シートを用いた場合は、透水性シート１６の外側に前記の芝生マット４を重ねて巻き付け、外側から線材を巻き付けて固定しておけば、芝生マットの根が透水性シート１６を通過して、内部の培土５に活着する。その結果、透水性シート１６が外から見えて見苦しいといった問題が解消され、常に芝生の緑を観賞できる。なお、通常の芝に限らず、芝と同様に這伏性の根を持つ草であれば、付着土や内部の培土５が容易に漏れ出さないので、芝と同様に利用できる。なお、蔓性植物も有効である。
【００３２】また、透水性シート１６と内部の培土５に藻や藻状の丈の低い草などを活着させることもできる。あるいは、芝生以外の各種の草花類を付着土付きの状態で重ねて仮止めしておけば、根が透水性シート１６を通過して内部の培土５に活着する。したがって、芝生以外を活着させて立体畑の外観を緑化することも可能である。
【００３３】さらに、透水性シート１６の外から挿し木したり、透水性シート１６の外から棒を突き刺して穴を開けた状態で、花や苗木などの根を挿入して植えたりもできる。したがって、立体畑の側面を通常の畑などの土壌と同じ感覚で栽培に利用できる。
【００３４】図５の立体畑や骨組みを製作するには、図６のような透水性シート付き支柱ユニットが有ると便利である。図６において、支柱６…を一定の間隔で配置した状態で、各支柱６…と直角方向の太い番線などの間隔線材９ａ…を交差させて接合してある。また、交差状態の支柱６…と間隔線材９ａ…の間には、補強線材１７…、１８…を碁盤目状に交差させて接合してある。このような交差状態の支柱６…、間隔線材９ａ…、補強線材１７…、１８…の上に透水性シート１６を重ねて接合してある。
【００３５】図６のような透水性シート付き支柱ユニット資材を何十メートルもの長さに製造して巻き取っておけば、一般消費者は、必要とする長さだけ切り離して購入し、立体畑の製作に利用できる。例えば５本目の支柱６５と６本目の支柱６６との間のＡ−Ａ位置で切り離した状態で購入し、図５のように、５本目の支柱６５と１本目の支柱６１とを重ねてまとめて固定すれば、極めて簡単に骨組みを製作できる。
【００３６】なお、透水性シート１６のみは分離状態とし、立体畑を製作する際に、交差状態の支柱６…、間隔線材９ａ…、補強線材１７…、１８…の内側に別体の透水性シート１６を重ねながら、内部の培土５を入れていくこともできる。
【００３７】図６の透水性シート付き支柱ユニット資材に代えて、通常の市販の番線製の金網を利用して円筒状あるいは多角筒状に形成し、透水性シート１６を重ねて立てることもできる。以上の立体畑を立てるには、図示のように植木鉢中の培土２を掘って、立体畑の下部を埋め込むことのほか、露地や花壇、庭などに立体畑の下部を埋めて立てることもできる。なお、立体畑自体の高さや縦横の寸法は自由であり、特に制限はない。
【００３８】図７は、図４の灌水管１３の詳細を示す縦断面図であり、筒状体の内部の培土５のほぼ中央に灌水管１３を立ててある。灌水管１３は、底部１９を有し、水が抜けない構造になっており、側面には適当数の灌水孔を開けてある。また、灌水管１３の外周にはボロ布などのような保水性の良い材料２０を巻き付けてあり、この保水材２０の外側に培土５が入っている。
【００３９】いま、灌水管１３の内部に水を満たすと、灌水管１３の側壁の各灌水孔から漏れ出した水が保水材２０に一旦吸水されて保水される。そして、保水材２０を介して、その外側の培土５中に徐々に灌水される。
【００４０】灌水管１３には保水材２０が巻き付けられていて、側部の灌水孔が塞がれた恰好になっているため、灌水管１３中の水が短時間に抜け出すことはなく、時間をかけて徐々に保水材２０に灌水されるので、灌水管１３中に供給された水が短時間に無くなることはない。
【００４１】灌水管１３中に供給した水だけでは足りないような場合は、水を満たしたペットボトルＢなどを逆さにして灌水管１３の上端にセットしておくと、より多くの水をより長時間灌水できる。灌水管１３を利用して液肥や薬液などを供給することもできる。なお、灌水に使用しない場合は、灌水管１３の上端にキャップを嵌めて、閉じておくのがよい。
【００４２】灌水管１３として塩化ビニール製やゴム製のホースを用いることもできる。この場合は、水が抜けないように先端を縛った状態で、骨組みの下端に連結してから、培土５を入れていく。このとき、ホース内に潤滑な棒材を挿入した状態で培土５を入れてから、棒材を抜き取れば、ホースが培土５で押し潰されるのを防止できる。
【００４３】ゴムホースの側壁には釘などを刺して孔を開けておくが、ゴムホースの弾力で孔は割れ目状となるので、水は徐々に染み出して、培土５に灌水される。また、灌水孔は割れ目状となるので、培土がホース内に入り込む恐れはなく、したがって保水材２０を設ける必要もない。ホースを水道の蛇口に接続すれば、灌水作業も容易になる。
【００４４】図７の植木鉢３１は、立体畑で構成されている。すなわち、複数本の支柱６を間隔をおいて円周方向に立てて配置した構成になっている。そして、図示の場合は、３本の環状体９を間隔Ｇをおいて配置し、前記の各支柱６…と接着したり結んだりして結合することによって、ほぼ円筒状の骨組みを形成してある。
【００４５】この植木鉢兼用立体畑３１を底皿２１の上に載置した状態で、内部に培土２を入れてある。したがって、図７の実施形態の場合は、植木鉢兼用立体畑３１の中に、別の立体畑３を設けた構成になっている。すなわち、２段構造になっている。なお、植木鉢３１を移動する可能性が無いような場合は、底皿２１を設けないで、畑や庭の地面の上に直接に植木鉢兼用立体畑３１を形成しても差し支えない。
【００４６】図１や図７の立体畑３の上の培土５にクリスマスツリーを立てると共に、豆電球をクリスマスツリーと立体畑３に取付けて点滅させることもできる。なお、通常の植木鉢単体のみを立体畑で構成することもできることは言うまでもない。
【００４７】
【発明の効果】
請求項１のように、付着土付きの芝生マットを購入して来て筒状に形成してから、その内側の空洞部に培土を入れることによって、筒状に形成された芝生マットより内側を培土として利用でき、立体畑の製造も容易である。
【００４８】したがって、芝生マットの外側から挿し木したりすることによって、芝生マットの外側から各種の植物を観賞できる。しかも、外部からは芝生マットの芝生が見えるだけで、内部の培土は見えないので、観賞に適しており、癒し効果が大きい。
【００４９】請求項２のように、複数本の支柱を立てて、その外側に芝生マットをセットするので、芝生マットを筒状に形成することは容易である。なお、芝生マットの芝生が内部の培土に活着するまでは、芝生マットの外側から針金や紐などを巻き付けて、芝生マットが脱落しないように仮固定しておくことは言うまでもない。
【００５０】請求項３のように、複数本立てた支柱間を連結部材で環状に連結し、該連結部材に透水性シートを重ねて筒状に形成し、この筒状透水性シートの内側に培土を入れる方法によると、芝生マットを使用しなくても立体畑を形成できる。
【００５１】筒状の透水性シートが有るので、培土の細かい粒子が漏れ出す恐れはなく、またこの透水性シートは植物の根が通過でき、また挿し木も可能であるため、外側から各種の植物を挿し木できる。この場合も、筒状の透水性シートの外側に芝生マットを張り付け固定しておけば、芝生も活着可能となる。
【００５２】請求項４のように、前記の筒状部分の内部の培土に対し、側面の芝生マットや透水性シートを通過するように、外側から挿し木をすることによって、各種の植物を容易に栽培できる。なお、挿し木が不可能な場合は、補助具を用いて、芝生マットや透水性シートを貫通させ、苗の根を内部の培土に差し込むことによって、植えつけることができる。
【００５３】請求項５のように、前記の筒状部分の内部の培土の中に灌水管を立てておき、その側部に開けた孔から培土に対し灌水する構造になっているため、培土の下部や中間部などの各部に確実に灌水できる。
【００５４】以上のような本発明の立体畑を利用して植木鉢を形成することによって、植木鉢と立体畑を兼ねさせることもできる。
【図面の簡単な説明】
【図１】本発明による立体畑の第一実施形態の斜視図である。
【図２】図１の立体畑における骨組みの斜視図である。
【図３】市販の芝生マットの例を示す斜視図である。
【図４】図１の立体畑の詳細を示す図であり、（１）は平面図、（２）は水平位置で切断した断面図である。
【図５】本発明による立体畑の別の実施形態を示す斜視図である。
【図６】透水性シート付き支柱ユニットの長尺資材を展開した状態の平面図である。
【図７】植木鉢兼用立体畑と灌水管の詳細を示す縦断面図である。
【符号の説明】
１　植木鉢
２　培土
３　立体畑
４　芝生マット
５　培土
６　支柱
７　線材
８　継ぎ目
９　環状体
１０　骨組
１１　付着土
１２　継ぎ目
１３　灌水管
１４　木の枝
１６　透水性シート
１７・１８　補強線材
１９　底部
２０　保水材
３１　植木鉢兼用立体畑
２１　底皿
【図１】
2004121157.tif 000003
【図２】
2004121157.tif 000004
【図３】
2004121157.tif 000005
【図４】
2004121157.tif 000006
【図５】
2004121157.tif 000007
【図６】
2004121157.tif 000008
【図７】
2004121157.tif 000009